(57)【要約】【課題】本発明は、クレードルに載置して充電等を行っている間でも、屋内でもＴＶ受信可能な強電波エリアでは、本体アンテナからのＲＦ信号の再生を簡単に選択することができ、外部アンテナ（家庭内のアンテナ）の接続を行うことなく、ＴＶ視聴を行うことができる携帯端末装置を提供することを課題とする。【解決手段】本体アンテナ１１が伸長され、収納検出スイッチ１５がＯＦＦ状態である場合には、切り換えスイッチ１４の接続端子Ａ１と出力端子Ｂとを接続させて本体アンテナ１１によって受信されたＲＦ信号をチューナ部１８に入力させ、本体アンテナ１１が筐体２２内に収納され、収納検出スイッチ１５がＯＮ状態である場合には、切り換えスイッチ１４の接続端子Ａ２もしくはＡ３と出力端子Ｂとを接続させて外部アンテナ接続端子１２もしくはクレードル接続端子１３から入力されたＲＦ信号をチューナ部１８に入力させる。【選択図】        図１
2009044622.tif 000002
【特許請求の範囲】
【請求項１】
クレードルに載置可能な携帯端末装置であって、
放送信号を受信する筐体内に収納可能な本体アンテナと、
外部アンテナによって受信された前記放送信号が入力される接続端子と、
前記放送信号を中間周波信号に変換する信号変換手段と、
前記本体アンテナの収納状態を検出する収納検出手段と、
該収納検出手段によって検出された前記本体アンテナの収納状態に応じて、前記信号変換手段に出力する前記放送信号を切り換える切り換え手段とを具備することを特徴とする携帯端末装置。
【請求項２】
前記切り換え手段は、前記収納検出手段によって前記本体アンテナが伸長され筐体に非収納状態であると検出された場合には、前記本体アンテナによって受信された前記放送信号を前記信号変換手段に出力し、前記本体アンテナが筐体内に収納された状態であると検出された場合には、前記接続端子から入力された前記放送信号を前記信号変換手段に出力することを特徴とする請求項１記載の携帯端末装置。
【請求項３】
前記接続端子は、前記外部アンテナによって受信された前記放送信号が前記クレードルを介して入力されるクレードル接続端子と、前記外部アンテナによって受信された前記放送信号が直接入力される外部アンテナ接続端子とからなり、
前記収納検出手段によって前記本体アンテナが筐体内に収納された状態であると検出された場合、
前記切り換え手段は、前記外部アンテナ接続端子が接続されている場合には、前記外部アンテナ接続端子から入力された前記放送信号を前記信号変換手段に出力し、前記外部アンテナ接続端子が接続されていない場合には、前記クレードル接続端子から入力された前記放送信号を前記信号変換手段に出力することを特徴とする請求項１又は２記載の携帯端末装置。
【発明の詳細な説明】
【技術分野】
【０００１】
本発明は、放送信号をアンテナによって受信し、受信した放送信号から再生した映像信号および音声信号を出力する携帯端末装置に関し、特に専用の載置台であるクレードルに載置可能な携帯端末装置に関する。
【背景技術】
【０００２】
近年、小型の液晶表示パネルが設けられた携帯電話機等の携帯端末装置において、テレビジョン放送信号であるＲＦ信号の受信機能を備え、携帯型テレビジョン受像機として用いることができる機種が普及している。このような携帯端末装置は、携帯時におけるＲＦ信号の受信を想定し、装置本体に本体アンテナを備えていると共に、充電を行うためのクレードルに載置した場合には、据置のテレビジョン受像機として使用することができるように、クレードルに外部アンテナ接続端子が設けられているのが一般的であり、本体アンテナからのＲＦ信号と、外部アンテナ接続端子から入力されたＲＦ信号とのいずれかに切り換えて再生するように構成されている（例えば、特許文献１、２参照）。
【０００３】
しかしながら、従来技術では、携帯端末装置をクレードルに載置した状態では、クレードルの外部アンテナ接続端子から入力されたＲＦ信号を再生してＴＶ視聴を行うようになっており、屋内でもＴＶ受信可能な強電波エリアであっても、携帯端末装置をクレードルに載置して充電等を行っている間は、クレードルの外部アンテナ接続端子に外部アンテナ（家庭内のアンテナ）を接続しなければ、ＴＶ視聴を行うことができないという問題点があった。
【特許文献１】特開２００６−６０４１９号公報
【特許文献２】特開２００５−７３００５号公報
【発明の開示】
【発明が解決しようとする課題】
【０００４】
本発明は斯かる問題点に鑑みてなされたものであり、その目的とするところは、クレードルに載置して充電等を行っている間でも、屋内でもＴＶ受信可能な強電波エリアでは、本体アンテナからのＲＦ信号の再生を簡単に選択することができ、外部アンテナ（家庭内のアンテナ）の接続を行うことなく、ＴＶ視聴を行うことができる携帯端末装置を提供する点にある。
【課題を解決するための手段】
【０００５】
本発明は上記課題を解決すべく、以下に掲げる構成とした。
本発明の携帯端末装置は、クレードルに載置可能な携帯端末装置であって、放送信号を受信する筐体内に収納可能な本体アンテナと、外部アンテナによって受信された前記放送信号が入力される接続端子と、前記放送信号を中間周波信号に変換する信号変換手段と、
前記本体アンテナの収納状態を検出する収納検出手段と、該収納検出手段によって検出された前記本体アンテナの収納状態に応じて、前記信号変換手段に出力する前記放送信号を切り換える切り換え手段とを具備することを特徴とする携帯端末装置。
【０００６】
さらに、本発明の携帯端末装置においては、前記切り換え手段は、前記収納検出手段によって前記本体アンテナが伸長され筐体に非収納状態であると検出された場合には、前記本体アンテナによって受信された前記放送信号を前記信号変換手段に出力し、前記本体アンテナが筐体内に収納された状態であると検出された場合には、前記接続端子から入力された前記放送信号を前記信号変換手段に出力することを特徴とする。
【０００７】
さらに、本発明の携帯端末装置においては、前記接続端子は、前記外部アンテナによって受信された前記放送信号が前記クレードルを介して入力されるクレードル接続端子と、前記外部アンテナによって受信された前記放送信号が直接入力される外部アンテナ接続端子とからなり、前記収納検出手段によって前記本体アンテナが筐体内に収納された状態であると検出された場合、前記切り換え手段は、前記外部アンテナ接続端子が接続されている場合には、前記外部アンテナ接続端子から入力された前記放送信号を前記信号変換手段に出力し、前記外部アンテナ接続端子が接続されていない場合には、前記クレードル接続端子から入力された前記放送信号を前記信号変換手段に出力することを特徴とする。
【発明の効果】
【０００８】
本発明の携帯端末装置は、放送信号を受信する筐体内に収納可能な本体アンテナと、外部アンテナによって受信された放送信号が入力される接続端子と、放送信号を中間周波信号に変換する信号変換手段であるチューナと、本体アンテナの収納状態を検出する収納検出手段とを設け、収納検出手段によって検出された本体アンテナの収納状態に応じて、チューナに出力する放送信号を切り換えるように構成することにより、ユーザが本体アンテナを出し入れするという簡単な操作によって、チューナで中間周波信号に変換する放送信号を選択することができるという効果を奏する。
【０００９】
さらに、本発明の携帯端末装置は、収納検出手段によって本体アンテナが伸長され筐体に非収納状態であると検出された場合には、本体アンテナによって受信された放送信号をチューナに入力させ、収納検出手段によって本体アンテナが筐体内に収納された状態であると検出された場合には、接続端子から入力された放送信号をチューナに入力させるように切り換え、チューナによって、本体アンテナによって受信された放送信号もしくは接続端子から入力された放送信号を中間周波信号に変換するように構成することにより、ユーザが本体アンテナを操作することによって、本体アンテナによって受信された放送信号と接続端子から入力された放送信号とを簡単に切り替えることができるため、クレードルに載置して充電等を行っている間でも、屋内でもＴＶ受信可能な強電波エリアでは、本体アンテナからのＲＦ信号の再生を簡単に選択することができ、外部アンテナ（家庭内のアンテナ）の接続を行うことなく、ＴＶ視聴を行うことができるという効果を奏する。
【００１０】
さらに、本発明の携帯端末装置は、放送信号が入力される接続端子として、外部アンテナによって受信された放送信号がクレードルを介して入力されるクレードル接続端子と、外部アンテナによって受信された放送信号が直接入力される外部アンテナ接続端子とを設け、収納検出手段によって本体アンテナが収納状態であると検出された場合、外部アンテナ接続端子が接続されている場合には、外部アンテナ接続端子から入力された放送信号をチューナに出力し、外部アンテナ接続端子が接続されていない場合には、クレードル接続端子から入力された放送信号をチューナに出力するように構成することにより、本体アンテナが筐体に収納された状態である際にのみ、外部アンテナ接続端子の接続状態に応じて、チューナで中間周波信号に変換する放送信号を選択することができるという効果を奏する。
【発明を実施するための最良の形態】
【００１１】
以下、本発明の実施の形態を図面に基づいて詳細に説明する。
【００１２】
図１は、本発明に係る携帯端末装置の実施の形態における本体アンテナが収納され、クレードルに外部コネクタが接続された状態を示すブロック図であり、図２は、本発明に係る携帯端末装置の実施の形態における本体アンテナが収納され、外部アンテナ接続端子に外部コネクタが接続された状態を示すブロック図であり、図３は、本発明に係る携帯端末装置の実施の形態における本体アンテナが伸長された非収納状態を示すブロック図である。
【００１３】
本実施の形態の携帯端末装置１は、地上波デジタル放送信号であるＲＦ信号（高周波信号）を受信し、受信したＲＦ信号から再生した映像信号および音声信号を出力する携帯型テレビジョン受像機であり、図１乃至図３を参照すると、ＲＦ信号を受信する本体アンテナ１１と、外部アンテナ接続端子１２と、クレードル接続端子１３と、切り換えスイッチ１４と、収納検出スイッチ１５と、切り換え制御部１６と、受信したＲＦ信号を増幅する低雑音受信アンプ(ＬＮＡ)１７と、チューナ部１８と、信号再生部１９と、液晶ディスプレイ（ＬＣＤ）２０と、スピーカ２１とを備え、外部アンテナ接続端子３１とクレードル側コネクタ３２とが設けられたクレードル３に載置可能に構成されている。
【００１４】
本体アンテナ１１は、テレビジョン放送信号であるＲＦ信号（Radio Frequency信号）を受信する受信手段として機能するホイップアンテナであり、筐体２２内に収納可能な棒状のアンテナ部１１１と、アンテナ部１１１を筐体２２に取り付けるネジ部１１２とを備え、アンテナ部１１１によって受信されたＲＦ信号は、ネジ部１１２を介して切り換えスイッチ１４の接続端子Ａ１に出力される。
【００１５】
外部アンテナ接続端子１２には、外部コネクタ４を接続することによって、図示しない外部アンテナ（家庭内のアンテナ）によって受信されたＲＦ信号が入力され、入力されたＲＦ信号は、切り換えスイッチ１４の接続端子Ａ２に出力される。
【００１６】
クレードル接続端子１３は、携帯端末装置１をクレードル３に載置させることによって、クレードル３のクレードル側コネクタ３２と接続され、クレードル３の外部アンテナ接続端子３１に外部コネクタ４を接続することによって、図示しない外部アンテナ（家庭内のアンテナ）によって受信されたＲＦ信号が入力され、入力されたＲＦ信号は、切り換えスイッチ１４の接続端子Ａ３に出力される。
【００１７】
切り換えスイッチ１４は、本体アンテナ１１からのＲＦ信号が入力される接続端子Ａ１と、外部アンテナ接続端子１２からのＲＦ信号が入力される接続端子Ａ２と、クレードル３からのＲＦ信号が入力される接続端子Ａ３と、接続端子Ａ１、接続端子Ａ２もしくは接続端子Ａ３のいずれかと接続される出力端子Ｂとを有し、出力端子Ｂから出力されたＲＦ信号は、ＬＮＡ１７に入力される。
【００１８】
収納検出スイッチ１５は、本体アンテナ１１のアンテナ部１１１が収納状態であることを検出する検出手段であり、図１および図２に示すように、アンテナ部１１１が収納状態である場合には、アンテナ部１１１の底部によってスイッチがＯＮされ、図３に示すように、アンテナ部１１１が伸長された非収納状態である場合には、スイッチがＯＦＦされるように構成されている。
【００１９】
切り換え制御部１６は、収納検出スイッチ１５の状態と、外部アンテナ接続端子１２への外部コネクタ４の接続状態とに基づいて、切り換えスイッチ１４の接続を制御、すなわち接続端子Ａ１、接続端子Ａ２もしくは接続端子Ａ３のいずれかと出力端子Ｂを接続させる。
【００２０】
ＬＮＡ１７は、切り換えスイッチ１４から入力されたＲＦ信号を増幅してチューナ部１８に入力する。チューナ部１８は、図示しないチャンネル選局手段によって指定されたチャンネル（周波数帯域）に含まれるいずれか１つのセグメントを選局し、当該セグメントにおけるＲＦ信号を中間周波信号に変換する信号変換手段であり、変換した中間周波信号を信号再生部１９に出力する。
【００２１】
信号再生部１９は、中間周波信号を映像信号と音声信号とに復調する信号復調手段であり、映像信号を映像出力手段である液晶ディスプレイ（ＬＣＤ）２０に、音声信号を音声出力手段であるスピーカ２１にそれぞれ出力する。
【００２２】
次に、切り換え制御部１６による収納検出スイッチ１５の切り換え動作について図４を参照して詳細に説明する。
図４は、図１乃至図３に示す切り換え制御部における切り換え動作を説明する動作テーブルである。
【００２３】
図１および図２に示すように、クレードル３に載置した携帯端末装置１において、本体アンテナ１１を収納した場合には、アンテナ部１１１の底部によって収納検出スイッチ１５がＯＮされる。
【００２４】
切り換え制御部１６は、収納検出スイッチ１５がＯＮ状態である場合には、図１に示すように、外部アンテナ接続端子１２に外部コネクタ４が未接続であると、図４に示すように、切り換えスイッチ１４の接続端子Ａ３と出力端子Ｂとを接続させ、クレードル３からのＲＦ信号がＬＮＡ１７に入力されるように制御し、図２に示すように、外部アンテナ接続端子１２に外部コネクタ４が接続されていると、図４に示すように、切り換えスイッチ１４の接続端子Ａ２と出力端子Ｂとを接続させ、外部アンテナ接続端子１２からのＲＦ信号がＬＮＡ１７に入力されるように制御する。これにより、ユーザは、本体アンテナ１１を収納するという簡単な操作で、外部アンテナ接続端子１２もしくはクレードル３から入力されるＲＦ信号に基づく再生を選択することが可能になる。
【００２５】
図３に示すように、クレードル３に載置した携帯端末装置１において、本体アンテナ１１を伸長させた場合には、収納検出スイッチ１５がＯＦＦされる。
【００２６】
切り換え制御部１６は、図３に示すように、収納検出スイッチ１５がＯＦＦ状態である場合には、外部アンテナ接続端子１２に外部コネクタ４が接続されているか否かに拘わらず、図４に示すように、切り換えスイッチ１４の接続端子Ａ１と出力端子Ｂとを接続させ、本体アンテナ１１からのＲＦ信号がＬＮＡ１７に入力されるように制御する。これにより、ユーザは、携帯端末装置１がクレードル３に載置された状態であっても、本体アンテナ１１を伸長させるという簡単な操作で、本体アンテナ１１から入力されるＲＦ信号に基づく再生を選択することが可能になる。
【００２７】
以上説明したように、本実施の形態によれば、放送信号を受信する筐体２２内に収納可能な本体アンテナ１１と、外部アンテナによって受信されたＲＦ信号が入力される接続端子（外部アンテナ接続端子１２、クレードル接続端子１３）と、ＲＦ信号を中間周波信号に変換するチューナ部１８と、本体アンテナ１１の収納状態を検出する収納検出スイッチ１５とを設け、切り換え制御部１６は、収納検出スイッチ１５によって検出された本体アンテナ１１の収納状態に応じて、チューナ部１８に出力するＲＦ信号を切り換えるように構成することにより、ユーザが本体アンテナ１１を出し入れするという簡単な操作によって、チューナ部１８で中間周波信号に変換するＲＦ信号を選択することができるという効果を奏する。
【００２８】
さらに、本実施の形態によれば、本体アンテナ１１が伸長され、収納検出スイッチ１５がＯＦＦ状態である場合には、切り換えスイッチ１４の接続端子Ａ１と出力端子Ｂとを接続させて本体アンテナ１１によって受信されたＲＦ信号をチューナ部１８に入力させ、本体アンテナ１１が筐体２２内に収納され、収納検出スイッチ１５がＯＮ状態である場合には、切り換えスイッチ１４の接続端子Ａ２もしくは接続端子Ａ３と出力端子Ｂとを接続させて外部アンテナ接続端子１２もしくはクレードル接続端子１３から入力されたＲＦ信号をチューナ部１８に入力させるように切り換え、チューナ部１８によって本体アンテナ１１によって受信されたＲＦ信号、外部アンテナ接続端子１２もしくはクレードル接続端子１３から入力されたＲＦ信号を中間周波信号に変換し、信号再生部１９によって中間周波信号を映像信号と音声信号とに復調してＬＣＤ２０およびスピーカ２１から出力するように構成することにより、ユーザが本体アンテナ１１を操作することによって、本体アンテナ１１によって受信されたＲＦ信号と外部アンテナ接続端子１２もしくはクレードル接続端子１３から入力されたＲＦ信号とを簡単に切り替えることができるため、クレードル３に載置して充電等を行っている間でも、屋内でもＴＶ受信可能な強電波エリアでは、本体アンテナ１１からのＲＦ信号の再生を簡単に選択することができ、外部アンテナ（家庭内のアンテナ）の接続を行うことなく、ＴＶ視聴を行うことができるという効果を奏する。
【００２９】
さらに、本実施の形態によれば、ＲＦ信号が入力される接続端子として、外部アンテナによって受信されたＲＦ信号がクレードル３を介して入力されるクレードル接続端子１３と、外部アンテナによって受信されたＲＦ信号が直接入力される外部アンテナ接続端子１２とを設け、収納検出スイッチ１５によって本体アンテナ１１が収納状態であると検出された場合、外部アンテナ接続端子１２が接続されている場合には、外部アンテナ接続端子１２から入力されたＲＦ信号をチューナ部１８に出力し、外部アンテナ接続端子１２が接続されていない場合には、クレードル接続端子１３から入力されたＲＦ信号をチューナ部１８に出力するように構成することにより、本体アンテナ１１が筐体２２に収納された状態である際にのみ、外部アンテナ接続端子１２の接続状態に応じて、チューナ部１８で中間周波信号に変換するＲＦ信号を選択することができるという効果を奏する。
【００３０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３１】
【図１】本発明に係る携帯端末装置の実施の形態における本体アンテナが収納され、クレードルに外部コネクタが接続された状態を示すブロック図である。
【図２】本発明に係る携帯端末装置の実施の形態における本体アンテナが収納され、外部アンテナ接続端子に外部コネクタが接続された状態を示すブロック図である。
【図３】本発明に係る携帯端末装置の実施の形態における本体アンテナが伸長された非収納状態を示すブロック図である。
【図４】図１乃至図３に示す切り換え制御部における切り換え動作を説明する動作テーブルである。
【符号の説明】
【００３２】
１  携帯端末装置
３  クレードル
４  外部コネクタ
１１  本体アンテナ
１２  外部アンテナ接続端子
１３  クレードル接続端子
１４  切り換えスイッチ
１５  収納検出スイッチ
１６  切り換え制御部
１７  低雑音受信アンプ(ＬＮＡ)
１８  チューナ部
１９  信号再生部
２０  液晶ディスプレイ（ＬＣＤ）
２１  スピーカ
２２  筐体
３１  外部アンテナ接続端子
３２  クレードル側コネクタ
１１１  アンテナ部
１１２  ネジ部
【図１】
2009044622.tif 000003
【図２】
2009044622.tif 000004
【図３】
2009044622.tif 000005
【図４】
2009044622.tif 000006